(57)【要約】【課題】見栄えの低下を抑えつつ外郭の高さ寸法を小さくする。【解決手段】本実施形態の照明器具Ａでは、器具本体１の天板10における支持体３の外側に導光手段(貫通孔13)が設けられているため、ＬＥＤユニット２から放射される光の一部が貫通孔13を通過し、支持体３と第１グローブ６との間の空間に導光される。したがって、導光手段(貫通孔13)が無い場合と比較して第１グローブ６に支持体３の影が映り込み難くなるので、支持体３の影の映り込みによる見栄えの低下を抑えることができる。しかも、ＬＥＤユニット２を外郭５側ではなく、グローブ６，４の下の器具本体１内に収納しているので、第１グローブ６の上に突出する外郭５の高さ寸法を小さくすることができる。【選択図】        図１
2014232710.tif 000002
【特許請求の範囲】
【請求項１】
有底筒状に形成されて窓孔が貫通した天板を上にして配置される器具本体と、下方から前記窓孔に対向するように前記器具本体に支持されるＬＥＤ光源と、棒状に形成され、前記天板の上面側における前記窓孔の周囲に立設された複数本の支持体と、透光性を有し、前記天板の上に配設されて前記支持体を囲む第１グローブと、薄い板状に形成されて前記支持体の上端に取り付けられる外郭と、前記ＬＥＤ光源から放射される光を複数本の前記支持体と前記第１グローブとの間の空間に導光する導光手段とを備えることを特徴とする照明器具。
【請求項２】
前記導光手段は、前記天板において、前記支持体と前記第１グローブとの間に位置する部位に設けられる１乃至複数の貫通孔からなることを特徴とする請求項１記載の照明器具。
【請求項３】
前記貫通孔は、前記天板の上方から見て、前記ＬＥＤ光源から放射される光の光路が前記支持体で遮られる範囲よりも大きくなるように構成されることを特徴とする請求項２記載の照明器具。
【請求項４】
透光性を有し、前記天板の上に配設されて前記第１グローブと前記支持体との間に前記支持体を囲むように配置される第２グローブを備え、前記第２グローブは、透過する光を拡散するように構成されることを特徴とする請求項１〜３の何れか１項に記載の照明器具。
【発明の詳細な説明】
【技術分野】
【０００１】
本発明は、照明器具に関する。
【背景技術】
【０００２】
従来、庭園や遊歩道の照明などには、地面に立設され且つ大人の背丈よりも低いポール(支柱)の先端に取り付けられる照明器具が用いられている。例えば、特許文献１記載の照明器具は、図７に示すようにポールＸ１の上端部に設けられた円錐台形状の反射板部Ｘ２と、反射板部Ｘ２の上端部に取付金具Ｘ３を用いて取り付けられる複数のＬＥＤ光源Ｘ４とを備える。また、この照明器具は、円筒形の透光性カバーＸ５と、下面が開口した有底円筒形の外郭Ｘ６とを備える。
【０００３】
透光性カバーＸ５は、反射板部Ｘ２を内側に収めるようにポールＸ１の上端部に配設される。また、外郭Ｘ６は、透光性カバーＸ５の上部にねじ止めされる。つまり、反射板部Ｘ２、取付金具Ｘ３、ＬＥＤ光源Ｘ４は、透光性カバーＸ５と外郭Ｘ６に囲まれた収納空間に収納される。
【０００４】
ＬＥＤ光源Ｘ４は、発光面を下に向けるようにして取付金具Ｘ３に取り付けられている。したがって、ＬＥＤ光源Ｘ４から放射される光は、反射板部Ｘ２の外周面(反射面)に反射され、透光性カバーＸ５を透過してポールＸ１の周囲に照射される。
【先行技術文献】
【特許文献】
【０００５】
【特許文献１】特開２００９−１２９７５８号公報
【発明の概要】
【発明が解決しようとする課題】
【０００６】
ところで、特許文献１記載の従来例では、透光性カバーＸ５よりも上に配置されているＬＥＤ光源Ｘ４を隠すために外郭Ｘ６の高さ寸法が比較的に大きくなってしまっていた。これに対して、外郭Ｘ６の高さ寸法を小さくする場合、ＬＥＤ光源Ｘ４を透光性カバーＸ５よりも下に配置し、且つ外郭Ｘ６を透光性カバーＸ５にねじ止めせずに支持する構造が必要となる。このような支持構造として、例えば、透光性カバーＸ５の下側に配設された土台から１乃至複数の支持体を立設し、各支持体の先端(上端)で外郭Ｘ６を支持する構造が考えられる。
【０００７】
しかしながら、上述のような支持構造を採用した場合、ＬＥＤ光源Ｘ４から放射される光の一部が支持体に遮られるため、透光性カバーＸ５に支持体の影が映り込んで見栄えが良くないという問題があった。
【０００８】
本発明は、上記課題に鑑みて為されたものであり、見栄えの低下を抑えつつ外郭の高さ寸法を小さくすることを目的とする。
【課題を解決するための手段】
【０００９】
本発明の照明器具は、有底筒状に形成されて窓孔が貫通した天板を上にして配置される器具本体と、下方から前記窓孔に対向するように前記器具本体に支持されるＬＥＤ光源と、棒状に形成され、前記天板の上面側における前記窓孔の周囲に立設された複数本の支持体と、透光性を有し、前記天板の上に配設されて前記支持体を囲む第１グローブと、薄い板状に形成されて前記支持体の上端に取り付けられる外郭と、前記ＬＥＤ光源から放射される光を複数本の前記支持体と前記第１グローブとの間の空間に導光する導光手段とを備えることを特徴とする。
【００１０】
この照明器具において、前記導光手段は、前記天板において、前記支持体と前記第１グローブとの間に位置する部位に設けられる１乃至複数の貫通孔からなることが好ましい。
【００１１】
この照明器具において、前記貫通孔は、前記天板の上方から見て、前記ＬＥＤ光源から放射される光の光路が前記支持体で遮られる範囲よりも大きくなるように構成されることが好ましい。
【００１２】
この照明器具において、透光性を有し、前記天板の上に配設されて前記第１グローブと前記支持体との間に前記支持体を囲むように配置される第２グローブを備え、前記第２グローブは、透過する光を拡散するように構成されることが好ましい。
【発明の効果】
【００１３】
本発明の照明器具は、導光手段が無い場合と比較して第１グローブに支持体の影が映り込み難くなるので、支持体の影の映り込みによる見栄えの低下を抑えることができる。しかも、ＬＥＤ光源が器具本体に支持されているので、第１グローブの上に突出する外郭の高さ寸法を小さくすることができる。
【図面の簡単な説明】
【００１４】
【図１】本発明に係る照明器具の実施形態を示す断面図である。
【図２】同上の分解斜視図である。
【図３】同上の設置状態を示す平面図である。
【図４】同上の斜視図である。
【図５】同上を示し、(ａ)は平面図、(ｂ)は側面図、(ｃ)は同図(ｂ)のＢ−Ｂ線断面矢視図である。
【図６】同上の断面図である。
【図７】従来例を示す断面図である。
【発明を実施するための形態】
【００１５】
以下、本発明に係る照明器具の実施形態について、図面を参照して詳細に説明する。
【００１６】
本実施形態の照明器具Ａは、図３に示すように地面Ｇから立設される支柱９に取り付けられる照明器具であって、例えば、庭園や遊歩道の照明などに用いられる。なお、支柱９の高さは特に限定されないが、数十センチメートル〜１メートル程度が好ましい。また、本実施形態の照明器具Ａは、支柱９を介さずに地面や床などに設置されて歩行者の足下を照らす用途に用いられてもよい。
【００１７】
この照明器具Ａは、図２に示すように器具本体１、ＬＥＤユニット２、支持体３、第２グローブ４、外郭５、第１グローブ６、点灯装置７などで構成される。
【００１８】
ＬＥＤユニット２は、ＬＥＤ光源20、本体21、蓋22、カバー23、パッキン24などで構成される。ＬＥＤ光源20は、基板に実装される複数個の発光ダイオード(ＬＥＤ)チップと、透光性を有し且つ蛍光材料が混合された合成樹脂(例えば、シリコーン樹脂)製の封止部材とで構成される。すなわち、ＬＥＤチップ(図示せず)から放射される光(例えば、青色光)の一部が蛍光材料で波長変換され、波長変換された光(例えば、黄色光)と波長変換されなかった光(青色光)が混ざることにより、ＬＥＤ光源20から放射される光が全体として白色光となる。
【００１９】
本体21は、アルミダイカストによって扁平な直方体形状に形成され、上面の中央に収納凹所210が設けられている。収納凹所210の底面にＬＥＤ光源20が固定され、ＬＥＤ光源20の発する熱が本体21を通して放熱される。
【００２０】
カバー23は、平板状の固定部230と、固定部230の中央から上向きに膨出したドーム状の配光部231とがポリカーボネートなどの透光性を有する合成樹脂材料で一体に形成されてなる。
【００２１】
蓋22は、４本の固定ねじ25によって本体21の上面にねじ止めされ、本体21との間で固定部230を挟持することによってカバー23を本体21に固定している。蓋22の中央には、カバー23の配光部231が挿通される挿通孔220が貫通している。故に、ＬＥＤ光源20が発する光は、配光部231で配光が制御されて本体21の外に放射される。
【００２２】
パッキン24は、弾性を有する合成樹脂材料(例えば、シリコーンゴムなど)によって環状に形成されている。そして、本体21上面の収納凹所210の周囲に形成されている溝211にパッキン24が収納され、カバー23の固定部230に押圧されてパッキン24が弾性変形することにより、収納凹所210への水(雨水など)の浸入が阻止されている。
【００２３】
器具本体１は、円形の天板10と、天板10の周縁から下向きに突出する円筒形の側壁11とがアルミダイカストによって一体に形成されてなる。天板10は、ＬＥＤユニット２(配光部231)から放射される光を通過させるための窓孔12が中央に貫通している。窓孔12は、概ね、正三角形と、正三角形の各辺を一辺とする３つの長方形とを組み合わせた形状に形成されている。
【００２４】
また、天板10における窓孔12の周囲に、円弧状の３つの貫通孔13が設けられている。これらの貫通孔13は、窓孔12の長方形の部分の間にそれぞれ一定の間隔を空けて配置されている(図５(ｃ)参照)。
【００２５】
さらに、天板10における窓孔12の長方形の部分の間には、それぞれ円形のねじ挿通孔100が貫通している。また、天板10の上面における窓孔12の長方形の部分の先端近傍に、ねじ孔102を有する円筒形のボス101がそれぞれ上向きに突設されている。なお、天板10の上面には、円形の突台部104が突設され、さらに、突台部104の上面における３つの貫通孔13の外側に円筒形の周壁103が立設されている(図２参照)。
【００２６】
ここで、天板10の窓孔12は、ポリメタクリル酸メチル樹脂などの透光性を有する合成樹脂材料で円板状に形成された拡散シート14によって閉塞される。拡散シート14は、半円形状の３つの突部140が周方向に一定の間隔を空けて突設されており、各突部140に設けられる挿通孔141に天板10のボス101が挿通され、ワッシャ付きのねじ142がボス101のねじ孔102にねじ込まれることで器具本体１の天板10に取り付けられる。ただし、拡散シート14は、天板10のねじ挿通孔100と対向する位置にそれぞれ丸孔143が貫通している。
【００２７】
また、器具本体１は、側壁11の内側に複数のねじ孔110が形成されている(図１参照)。そして、ＬＥＤユニット２は、金属製の保持金具26に保持され、その保持金具26が各ねじ孔110にねじ込まれる取付ねじ27でねじ止めされることによって器具本体１内に取り付けられる。
【００２８】
支持体３は、円柱形状の主部30と、主部30の上端に設けられた上雄ねじ部31と、主部30の下端に設けられた下雄ねじ部32とが金属材料(例えば、ステンレス鋼材)によって一体に形成されてなる。支持体３は、下雄ねじ部32が拡散シート14の丸孔143を通して器具本体１の天板10のねじ挿通孔100に挿通され、天板10の下面側に突出した下雄ねじ部32にナット33が締め付けられることで器具本体１に取り付けられる(図１参照)。
【００２９】
外郭５は、アルミダイカストによって薄い円板状に形成されている。外郭５は、円筒形の台部50が下面中央に突設され、且つ上下方向を軸方向とする３つの雌ねじ51が台部50に設けられている。すなわち、外郭５は、３つの雌ねじ51にそれぞれ支持体３の上雄ねじ部31がねじ込まれることにより、器具本体１の天板10から所定距離だけ離れた状態で３本の支持体３に支持される(図１参照)。
【００３０】
第２グローブ４は、ガラス又は透光性を有する合成樹脂材料(ポリメタクリル酸メチル樹脂など)により、器具本体１の周壁103の直径よりも大きく且つ突台部104の直径よりも小さい直径の円筒形状に形成されている。そして、第２グローブ４は、天板10の周壁103を内側に収めるようにして天板10(突台部104)の上にパッキン15を介して載置され、上端が外郭５の下面に当接することで器具本体１と外郭５との間で挟持される。なお、第２グローブ４は、拡散材の混入や乳白色の塗装などにより、透過する光を拡散するように構成されることが好ましい。
【００３１】
第１グローブ６は、ガラス又は透光性を有する合成樹脂材料(ポリカーボネートなど)により、器具本体１の側壁11の外径とほぼ同じ直径の円筒形状に形成されている。また、第１グローブ６の下端には、内向きに突出する鍔(フランジ)60が一体に形成されている。なお、この鍔60には、３つの水抜き穴61が等間隔に貫通している(図５(ｃ)参照)。さらに、第１グローブ６の外周面には、断面形状が三角形である多数の突条部62が上下方向に沿って等間隔に形成されている。
【００３２】
そして、第１グローブ６は、内側に第２グローブ４を収めるようにして器具本体１の突台部104の上にパッキン15を介して鍔60が載置され、上端がパッキン52を介して外郭５の下面における周縁部に当接することで器具本体１と外郭５との間で挟持される(図１参照)。ただし、外郭５の下面には、第２グローブ４及び第１グローブ６の上端部分をそれぞれ位置決めするための突壁53，54が同心円上に突設されている(図１参照)。
【００３３】
点灯装置７は、支柱９内に立ち上げ配線される電源線(図示せず)から供給される交流電力を直流電力に変換する電力変換回路などが金属製のケース70に収納されて構成される(図１参照)。ただし、ケース70は金属製に限らず、合成樹脂製のものであっても構わない。また、点灯装置７は、図示しない電線によってＬＥＤユニット２のＬＥＤ光源20と接続されており、電線を介してＬＥＤ光源20に直流電力を供給して点灯する。なお、点灯装置７は、図１に示すように保持金具26に固定された金属製の支持金具71に支持されて器具本体１内に収納される。
【００３４】
ここで、本実施形態の照明器具Ａでは、器具本体１の窓孔12の周囲に３本の支持体３が存在するため、ＬＥＤユニット２から放射されて器具本体１の窓孔12を通過する光の一部が支持体３に反射して光路を変えてしまう。しかしながら、器具本体１の天板10における支持体３の外側に導光手段(貫通孔13)が設けられているため、ＬＥＤユニット２から放射される光の一部が貫通孔13を通過し、支持体３と第１グローブ６との間の空間に導光される(図６における実線参照)。
【００３５】
したがって、導光手段(貫通孔13)が無い場合と比較して第１グローブ６に支持体３の影が映り込み難くなるので、支持体３の影の映り込みによる見栄えの低下を抑えることができる。しかも、ＬＥＤユニット２を外郭５側ではなく、グローブ６，４の下の器具本体１内に収納しているので、第１グローブ６の上に突出する外郭５の高さ寸法を小さくすることができる。
【００３６】
ここで、貫通孔13は、図５(ｃ)に示すように天板10の上方から見て、ＬＥＤ光源20から放射される光の光路が支持体３で遮られる範囲(２本の直線Ｌ１，Ｌ２に挟まれた範囲)よりも大きくなるように構成されることが好ましい。貫通孔13を上記のような大きさとすれば、ＬＥＤ光源20から放射される光の一部が貫通孔13を通過して第１グローブ６と支持体３との間の空間に導光され易くなるという利点がある。なお、２本の直線Ｌ１，Ｌ２は、配光部231の外形を示す円と、支持体３の主部30の外形を示す円とに接する接線である。
【００３７】
さらに、本実施形態の照明器具Ａでは、第１グローブ６と支持体３との間に支持体３を囲むように配置される第２グローブ４が、透過する光を拡散するように構成されている。そのため、第２グローブ４を通過する光が拡散されることにより、さらに第１グローブ６に支持体３の影が映り込み難くなるという利点がある。ただし、第２グローブ４は必ずしも円筒形である必要は無く、例えば、角筒状に形成されていても構わない。
【符号の説明】
【００３８】
Ａ  照明器具
１  器具本体
２  ＬＥＤユニット
３  支持体
５  外郭
６  第１グローブ
９  支柱
10  天板
12  窓孔
13  貫通孔(導光手段)
20  ＬＥＤ光源
【図１】
2014232710.tif 000003
【図２】
2014232710.tif 000004
【図３】
2014232710.tif 000005
【図４】
2014232710.tif 000006
【図５】
2014232710.tif 000007
【図６】
2014232710.tif 000008
【図７】
2014232710.tif 000009